【手続補正書】
【提出日】平成19年10月24日(2007.10.24)
【手続補正１】
【補正対象書類名】明細書
【補正対象項目名】全文
【補正方法】変更
【補正の内容】
【書類名】  明細書
【発明の名称】  電気掃除機用吸込具およびそれを用いた電気掃除機
【特許請求の範囲】
【請求項１】  下方に吸込口を開口させた吸込具本体と前記吸込具本体の後方には接続部を設け、前記接続部は前記吸込具本体の長辺方向、短辺方向の何れにも略直角かつ略平行に回動するように連結体で構成されるとともに、電気掃除機本体の電動送風機からの吸引力による前記吸込具本体と被掃除面との間に発生する吸着力よりも大きい駆動力を有する駆動部を備え、前記駆動力によって吸込具自体を前進または後進方向に駆動させる電気掃除機用吸込具。
【請求項２】  吸込口に臨むように前記吸込具本体に回転自在に設けた塵埃を掻き上げるための回転ブラシと前記回転ブラシを駆動させるための電動機を備え、吸込具本体に設けた駆動部を前記回転ブラシとする請求項１記載の電気掃除機用吸込具。
【請求項３】  接続部は前記吸込具本体との接続面に対して回動自在に取り付けられる第１の連結体と、前記第１の連結体の回動方向と略直角方向に回動自在に連結された第２の連結体とで構成される請求項１または２記載の電気掃除機用吸込具。
【請求項４】  吸込具本体の長辺方向に略平行となるよう第２の連結体を回動して、前記吸込具自体を移動させるとき、回転ブラシの回転を停止させることが可能な請求項３記載の電気掃除機用吸込具。
【請求項５】  塵埃を吸引する電動送風機を有する電気掃除機本体に、請求項１〜４のいずれか１項に記載の電気掃除機用吸込具と連通するように接続される接続口を備えた電気掃除機。
【発明の詳細な説明】
【０００１】
【発明の属する技術分野】
本発明は電気掃除機用吸込具およびそれを吸込具を用いた電気掃除機に関するものである。
【０００２】
【従来の技術】
従来、この種の電気掃除機に用いる吸込具は、図１７〜図２２に示す構成が一般的であった。
【０００３】
吸込具本体１０１は上部を構成する上部枠体１０２と吸込具本体１０１の下部を構成する下部枠体１０３を有しており、その平面形状は左右に長く、前後に短い略長方形をしている（Ｌ１＞Ｗ１）。被掃除面側と対向する下部枠体１０３の前面と側面には、前部塵埃通路１０４と側部塵埃通路１０５が形成され下方に開口した吸込口１０６に連通している。前記吸込口１０６には被掃除面に付着した塵埃を掻き上げる回転ブラシ１０７が配設され、吸込具本体１０１には前記回転ブラシ１０７をベルトもしくはギア（図示せず）を介して回転させるための電動機（図示せず）を内蔵し、後部に掃除機本体１０８と吸込具本体１０１とを連通させる自在連結部１０９を連結させている。自在連結部１０９は、回動部１１０とアーム部１１１とで構成されており、回動部１１０とアーム部１１１との間で回動自在に連結されている。アーム部１１１は吸込具本体１０１に軸支され、垂直方向に回動自在に連結され、回動部１１０はアーム部１１１に対して一定の角度αを有する屈曲した形状で構成されている。また、掃除機本体１０８からの電源を電動機へ供給するための導電線１１２は回動部１１０とアーム部１１１のそれぞれの回動軸部１１３と外郭との間を通している。１１４、１１５はそれぞれ下部枠体１０３の前部、後部に配設された移動用の前部ローラー、後部ローラーであり、吸込具本体１０１の外周には家具などへの傷付防止をのための軟質材で構成されたバンパー１１６を配設している。また、吸込具本体１０１は自在連結部１０９に延長管１１７、手元ハンドル１１８、およびホース１１９を介して掃除機本体１０８を連結し、掃除機本体１０８に内蔵した電動送風機１２０の吸引力によって塵埃を吸い込むものである。
【０００４】
上記構成において、自在連結部１０９に延長管１１７、手元ハンドル１１８、およびホース１１９を介して掃除機本体１０８を連結し、吸込具本体１０１を被掃除面に沿って走行させて掃除を行なう。机の下やベッドなどの障害物などの下を掃除する場合には、吸込具本体１０１を被掃除面に置いた状態で、図２１に示すように手元ハンドル１１８を下げてアーム部１１１を垂直方向に回動させたり、手元ハンドル１１８をひねり、手元ハンドル１１８の中心軸を中心として手元ハンドル１１８を回動させることにより、回動部１１０とアーム部１１１との間で略９０°回動して延長管１１７を被掃除面に平行となる方向へ倒すことでベッドの下などの高さの低い部分でも掃除ができる。また、壁際などの掃除の場合にも図２２に示すように手元ハンドル１１８をひねり、手元ハンドル１１８の中心軸を中心として手元ハンドル１１８を回動させることにより、回動部１１０とアーム部１１１との間で略９０°回動して吸込具本体１０１の長辺方向を壁と平行に沿わせて掃除を行なう。
【０００５】
【発明が解決しようとする課題】
しかしながら、このような従来の構成では、自在連結部１０９の回動部１１０が屈曲した形状のため、延長管１１７の軸方向に対して吸込具本体１０１が傾いた状態で固定してしまい、吸込具本体１０１を操作するためには延長管１１７を斜めにした状態で操作しなければならず、ベッドの下などの高さの低いところでは延長管１１７が突っかかって奥まで入らなかったり、横幅の広い空間でないと延長管１１７が入らないなど、その操作範囲は限られた状態であった。また、壁際などの掃除の際にも同様に吸込具本体１０１の長辺方向を壁と平行に沿わせて操作する時に延長管１１７の軸方向に対して吸込具本体１０１が傾いた状態で固定してしまい、吸込具本体１０１を操作方するためには延長管１１７を斜めにした状態で操作しなければならず、吸込具本体１０１の長辺方向を壁と平行に沿わせて操作する力の分力が吸込具本体１０１を壁方向へ押しつける力として働くために壁に突っかかって操作力が重くなっていた。さらには、壁と吸込具本体１０１のバンパー１１６が密着して前部塵埃通路１０４が塞がれて前部塵埃通路１０４からの吸気が行なえなくなり、掃除機本体１０８の吸引力により、吸込具本体１０１が被掃除面に吸着して操作性が重くなるとともに前部塵埃通路１０４からの塵埃の吸気ができず集塵性能の低下が発生する。また、吸込具本体１０１の短辺方向に操作する時には前部ローラー１１４、後部ローラー１１５の回転によって操作力の低減が図れるが、吸込具本体１０１の長辺方向に操作する時には前部ローラー１１４、後部ローラー１１５が回転せず、被掃除面に突っかかって操作力が重いといった問題を有していた。
【０００６】
本発明は、上記問題を解決するもので、吸込具の集塵性能を低下させることなく、吸込具を被掃除面に置いた状態で、回転ブラシの回転によって吸込具自体を前進または後進方向に駆動させるとともに手元ハンドルの動作により、吸込具自体の方向を容易にコントロールできるようにするとともに、吸込具本体を被掃除面に対して広範囲に回動できるようにし、特に、ベッドの下などの高さが低く、また、横幅の狭い空間や壁際などでも掃除操作が容易にできるように使い勝手を向上させることを目的としている。
【０００７】
【課題を解決するための手段】
上記目的を達成するために本発明は、下方に吸込口を開口させた吸込具本体と前記吸込具本体の後方には接続部を設け、前記接続部は前記吸込具本体の長辺方向、短辺方向の何れにも略直角かつ略平行に回動するように連結体で構成されるとともに、電気掃除機本体の電動送風機からの吸引力による前記吸込具本体と被掃除面との間に発生する吸着力よりも大きい駆動力を有する駆動部を備え、前記駆動力によって吸込具自体を前進または後進方向に駆動させるものである。
【０００８】
上記構成により、吸込具本体に設けた駆動部によって吸込具自体を前進または後進方向に駆動する吸込具を被掃除面に置いた状態で手元ハンドルを操作することにより、吸込具の進行方向を容易にコントロールできるとともに延長管を被掃除面に平行に、かつ、吸込具本体の長辺方向と延長管とを平行にすることができ、机やベッドなどの障害物の下などでの高さの低い所、幅の狭い空間、そして壁際などでの吸込具本体の長辺方向への掃除を容易に行なえるようにして使い勝手の向上が図れるものである。
【０００９】
【発明の実施の形態】
本発明の請求項１記載の発明は、下方に吸込口を開口させた吸込具本体と前記吸込具本体の後方には接続部を設け、前記接続部は前記吸込具本体の長辺方向、短辺方向の何れにも略直角かつ略平行に回動するように連結体で構成されるとともに、電気掃除機本体の電動送風機からの吸引力による前記吸込具本体と被掃除面との間に発生する吸着力よりも大きい駆動力を有する駆動部を備え、前記駆動力によって吸込具自体を前進または後進方向に駆動させるものである。
【００１０】
上記構成により、吸込具本体に設けた駆動部によって吸込具自体を前進または後進方向に駆動する吸込具を被掃除面に置いた状態で手元ハンドルを操作することにより、吸込具の進行方向を容易にコントロールできるとともに延長管を被掃除面に平行に、かつ、吸込具本体の長辺方向と延長管とを平行にすることができ、机やベッドなどの障害物の下などでの高さの低い所、幅の狭い空間、そして壁際などでの吸込具本体の長辺方向への掃除を容易に行なえるようにして使い勝手の向上が図れるものである。
【００１１】
本発明の請求項２記載の発明は、吸込口に臨むように前記吸込具本体に回転自在に設けた塵埃を掻き上げるための回転ブラシと前記回転ブラシを駆動させるための電動機を備え、吸込具本体に設けた駆動部を前記回転ブラシとするもので、被掃除面の塵埃を掻き上げる回転ブラシを、吸込具自体を前進または後進方向に駆動させる駆動部とすることで、回転ブラシ１部品のみで被掃除面の塵埃を掻き上げる作用と吸込具自体を前進または後進方向に駆動させる作用の両作用が実現できる。
【００１２】
本発明の請求項３記載の発明は、接続部は前記吸込具本体との接続面に対して回動自在に取り付けられる第１の連結体と、前記第１の連結体の回動方向と略直角方向に回動自在に連結された第２の連結体とで構成されるもので、吸込具を被掃除面に置いた状態で、回転ブラシの回転によって吸込具自体を前進または後進方向に駆動させるとともに手元ハンドルの動作により、吸込具本体を被掃除面に対して広範囲に回動できるようにし、特に、ベッドの下などの高さが低く、また、横幅の狭い空間や壁際などでも掃除操作が容易に吸込具を被掃除面に対して広範囲に回動することを可能にし、使い勝手を向上させるものである。
【００１３】
本発明の請求項４記載の発明は、吸込具本体の長辺方向に略平行となるよう第２の連結体を回動して、前記吸込具自体を移動させるとき、回転ブラシの回転を停止させることが可能なもので、吸込具本体の長辺方向に略平行となるよう第２の連結体を回動して前記吸込具自体を移動させるときには、回転ブラシの回転が吸込具自体を移動させるときの抵抗となるため、そのとき回転ブラシの回転を停止させることで、使い勝手の向上が図れるものである。
【００１４】
本発明の請求項５記載の発明は、塵埃を吸引する電動送風機を有する電気掃除機本体に、上記請求項１〜４のいずれか１項に記載の電気掃除機用吸込具と連通するように接続される接続口を備えたもので、掃除作業の作業性を向上させることができるものである。
【００１５】
【実施例】
（実施例１）
以下本発明の第１の実施例を図１〜図７において説明する。
【００１６】
図１に示すように、掃除機本体１は内部に塵埃を集積する集塵室２と電動送風機３を備えており、この掃除機本体１の集塵室２に連通するようにホース４の一端を接続している。ホース４の他端には上方が握り部となり、電動送風機３の回転を制御するスイッチ５を配設した手元ハンドル６を設けたパイプ７を取り付けている。手元ハンドル６を備えたパイプ７に連通するように延長管８の一端をパイプ７に接続し、延長管８に吸込具９を取り付けている。
【００１７】
また、電動送風機３の排気を吸込具９に導入する還流式電気掃除機にも本発明は適用できるものである。
【００１８】
吸込具９は図２、図３に示すように前後の長さが左右の長さよりも短い（Ｌ１＞Ｗ１）吸込具本体１０とこの吸込具本体１０の後方に設け、延長管８を接続する接続部１１から構成され、吸込具本体１０の下面の略中央に吸塵通路１２を設け、この吸塵通路１２は吸込具本体１０の下面にその長手方向に伸びる吸込口１３と連通している。また、吸込口１３内に塵埃を掻き上げるためのブラシ体１４を回転方向に対してその略中央が両端部よりも後方に位置するように配設した回転ブラシ１５を設け、吸込具本体１０内部後方に配した電動機１６よりベルトを介して回転力を伝達している。前記ブラシ体１４は吸込口１３より突出し、被掃除面に当接するように配設されている。また、後述する中央の吸込口１３を挟んで電動機１６と接続部１１からの導電線１７を電気的に接続するための回路基板１８を電動機１６と反対側に配置している。吸込具本体１０の前・側部外周には家具などへの傷付を防止するために軟質材などで構成したバンパー１９が配設されている。吸込具本体１０の下面前方の側部近傍に前面から底面にかけて屈曲させた起毛布２０をその幅（Ｗ２）に対して底面の進行方向の長さ（Ｌ２）が長くなるように、また、バンパー１９前面よりも前方に突出して取り付けており、下面後方にはその外周に起毛布を巻いた後部ローラー２１を回転自在に取り付けている。また、吸込具本体１０の前記起毛布取り付け座２２には吸気口１３と連通する連通孔２３を設けている。吸込具本体１０は上部を構成する上部枠体２４と下部を構成する下部枠体２５とでその外郭を構成し、被掃除面と対向する下部枠体２５の前面と側面にそれぞれ、前部塵埃通路２６、側部塵埃通路２７が形成され、吸込口１３の略中央部分は両端部分よりも接続部１１側に広く形成され、その後方に下方に突出した塵埃掻き上げ部をそれぞれ設け、中央塵埃掻き上げ部２８の一部と端塵埃掻き上げ部２９の一部とを吸込具本体１０の進行方向に対して交差（Ｌ３）するように配設している。下部枠体２５の下面に設けた吸塵通路１２と吸込具本体１０後方の接続部１１とを連通する吸込通路３０を形成するために下部枠体２５と上部枠体２４との間に中間部材３１を配し、中間部材３１と下部枠体２５とで囲まれる空間が吸込通路３０となる。また、中間部材３１は吸込通路３０を形成するドーム部分３２と吸込通路３０の前部で下部枠体２５と上部枠体２４に挟持される円弧状のブリッジ部分３３とで構成されており、このブリッジ部分３３には電動機１６の導電線１７を保持し、吸込通路３０上部を経由して回路基板１８へと配線処理する処理通路３４を形成している。
【００１９】
吸込具本体１０は通常使用において壁に当てられたり、足で踏まれたりして前部や上部がたわみ易く、吸込通路３０でのエアー洩れが生じたり、被掃除面との隙間が変わり集塵性能が変化する大きな要因となっていた。したがって上記のように吸込具本体１０の中央部分に中間部材３１を配置することによって、安定した吸込通路３０を確保することができる。
【００２０】
また、上部枠体２４の一部は、中間部材３１がドーム状のドーム部分３２で形成する吸込通路３０の上部を覆う一回り大きなドーム形状としており、中間部材３１との間に空間Ａ３５を形成している。この空間Ａ３５は後述する接続部１１からの導電線１７を通し、かつ、導電線１７が移動できる空間を形成している。接続部１１が接続される吸込具本体１０との後方には吸込通路３０の出口を設け、この出口には上部枠体２４と下部枠体２５で形成される回動受け部３６が構成されている。この回動受け部３６は吸込通路３０の出口よりも径大な環状溝部により形成されている。また、接続部１１は図３、図６に示すように吸込具本体１０との接続面に対して回動可能に取り付けた第１の連結体３７と、第１の連結体の回動方向と略直角方向に回動可能に取り付けた第２の連結体３８とで構成し、第１の連結体３７と第２の連結体３８とを可撓性を有した接続管を構成する蛇腹ホース３９を介して連結している。
【００２１】
さらに、接続部１１は第１の連結体３７には図６に示すように回動受け部３６の環状溝部に嵌合する環状溝４０を周面に設けたドーナツ状の回動部材４１を設けて、回動受け部３６の環状溝部と回動部材４１の環状溝と４０を嵌合することによって、回動部における気密性を確保して連結している。
【００２２】
回動部材４１の開口部４２には蛇腹ホース３９の一端が連結され、吸込通路３０の出口と蛇腹ホース３９の一端が連結される。蛇腹ホース３９の他端は第２の連結体３８に固定した連結部４３に接続している。第１の連結体３７の一部を構成する回動部材４１には、両側方向に略Ｌ字状の腕部４４が延び、この腕部４４には第２の連結体３８を回動するための回動軸部４５を構成し、第２の連結体３８を構成する第２の上部カバー体４６と第２の下部カバー体４７とに設けた回動軸受け部４８で回動軸部４５を挟み込むことで回動自在に連結している。また、蛇腹ホース３９と接続している連結部４３も第２の連結体３８を構成する第２の上部カバー体４６と第２の下部カバー体４７とで挟み込むことで固定している。
【００２３】
また、第２の上部カバー体４６と第２の下部カバー体４７には蛇腹ホース３９の回動に支障が起こらない範囲で隙間を設けて壁を左右に形成している。
【００２４】
接続部１１内に処理される導電線１７については、第１の連結体３７を回動部材４１ならびに回動軸部４５を含み上下に分割された第１の上部カバー体４９と第１の下部カバー体５０の間に設け、その空間に処理する構成である。特に回動軸部４５においては、第１の上部カバー体４９に従回動軸部５１を第１の下部カバー体５０に主回動軸部５２を形成し、主回動軸部５２を従回動軸部５１よりも大きくし、かつ、主回動軸部５２内に導電線１７を保持する溝を形成する。また、第１の連結体３７の回動軸部４５から露出した導電線１７は、端部に設けられた端子５３が蛇腹ホース３９の連結部４３に固定され、回動軸部４５から端子５３までの間は第２の下部カバー体４７に設けられたリブ等で保持している。
【００２５】
上記構成における動作は、スイッチ５を押して掃除機本体１に通電すると電動送風機３が回転し、吸込具９から吸込んだ塵埃は第１の連結体と第２の連結体を連通する蛇腹ホースを通り、連結部に接続した延長管８、ホース４を介して掃除機本体１の集塵室２に吸引される。
【００２６】
この時、被掃除面に当接し、ブラシ体１４を有する回転ブラシ１５の回転力によって、吸込具９自体が前進する駆動力が生まれ、吸込具９自体移動することにより操作力の軽減が図れる。前記駆動力が、電動送風機３からの吸引力により前記吸込具９と被掃除面とに発生する吸着力より大きい場合において、前記吸込具９自体は駆動することとなる。いわゆる、回転ブラシ１５が、吸込具９に設けられ吸込具９自体を駆動させる駆動部の役割をなしているのである。また、ブラシ体１４を回転方向に対してその略中央が両端部よりも後方に位置するように配設したことにより、吸込具９自体の直進性が向上するとともに回転ブラシ１５両端から略中央部へ塵埃をかき寄せることにより、集塵性能の向上が図れる。
【００２７】
ここで第１の連結体３７に対して回動自在な第２の連結体３８を接続し、さらに第２の連結体３８に接続した延長管８を介して手元ハンドル６をひねることにより、吸込具本体１０がその方向に傾き回転ブラシ１５の回転力で吸込具本体１０が傾いた方向に吸込具９自体が前進するので吸込具９の方向を容易にコントロールでき、操作性の向上が図れる。
【００２８】
また、手元ハンドル６の動作を吸込具９に伝えるので手元ハンドル６を下に下げると延長管８が下がり、第１の連結体３７と第２の連結体３８とのなす角度が大きくなり、延長管８は被掃除面と略平行となる。また、手元ハンドル６をひねって手元ハンドル６の中心軸を中心として手元ハンドル６を回転させることにより、延長管８が回動するとともに延長管８と第１の連結体３７とのなす角度が変わる。延長管８の回動については、第１の連結体３７の回動により、吸込具本体１０の下面が被掃除面に向いた状態を維持し、延長管８と第１の連結体３７のなす角度の変化は、第２の連結体３８が回動するので、同様に吸込具本体１０の下面が被掃除面に向いた状態を維持することができる。
【００２９】
しかも、延長管８と第１の連結体３７のなす角度が変化するように第２の連結体３８を回動自在にしたことにより、吸込具本体１０を大きく回動することができ、例えば、延長管８の軸方向と吸込具本体１０の長辺方向をほぼ平行にすることができる。この場合、第２の連結体３８の回動範囲は、吸込具本体１０を被掃除面に置いた状態で少なくとも鉛直方向まで回動できるようにしておく必要があり、また、延長管８の軸方向を被掃除面と平行にするためには、吸込具本体１０を被掃除面に置いた状態で少なくとも水平状態まで回動できるようにしておく必要があり、さらに第１の連結体３７の回動範囲を１８０°にしておくことで、延長管８の軸方向と吸込具本体１０長辺方向をほぼ平行にし、かつ、延長管８の軸方向を被掃除面に平行にすることができる。
【００３０】
これにより、ベッドの下などの高さの低い部分での掃除でも延長管８が被掃除面とほぼ平行となるまで低くすることが可能となり、また、吸込具本体１０の長辺方向と延長管８をほぼ平行にすることができ、幅の狭い空間での掃除が可能となり、広範囲に掃除が可能となる。また、このとき、吸込具本体１０の長辺方向に延長管８が略平行となるよう第２の連結体３８を回動して、前記吸込具１０自体を移動させるとき、回転ブラシ１５の回転を停止させることを可能とすることで、吸込具本体１０の長辺方向に延長管８が略平行となるよう第２の連結体３８を回動して前記吸込具１０自体を移動させるときには、回転ブラシ１５の回転が吸込具１０自体を移動させるときの抵抗となるため、そのとき回転ブラシ１５の回転を停止させることで、使い勝手の向上が図れるものである。この回転ブラシ１５の回転停止は、手元ハンドル６に設けたスイッチ（図示せず）により、使用者が行うようになっている。
【００３１】
壁際の掃除の際にも吸込具本体１０の長辺方向と延長管８をほぼ平行にすることができ、壁に吸込具本体１０を押し付ける力が加わりにくくなり操作性の向上が図れる。さらに吸込具本体１０前部の最外周であるバンパー１９よりも起毛布２０が前方へ突出していることにより、壁との間に形成された隙間５４から外気が流入し、吸込具本体１０前部と壁が密着するのを防止して被掃除面への吸着力を増すことないため、操作性を損なわず、また、壁との間に形成された隙間５４から外気が流入することにより、前部塵埃通路２６から壁際の塵埃を効率よく吸い込み、壁際の集塵性能の向上が図れるものである。また、吸込具本体１０前面より突出した起毛布２０により、壁際の拭き（磨き）効果も得られる。
【００３２】
また、起毛布２０の幅（Ｗ２）に対して底面の進行方向の長さ（Ｌ２）を長くしていることにより、通常使用状態での被掃除面への抵抗を低減し、操作性の向上が図れるとともに底面の進行方向の長さを長くしていることにより起毛布２０の面積を確保でき、吸込具本体１０を確実に保持し、かつ、起毛布２０の耐久性の確保も行なえるものである。
【００３３】
さらには、吸込具本体１０の起毛布取付け座２２に吸込口１３と連通する連通孔２３を形成したことにより、吸込具本体１０外周に大きな外気流入口を設けることなく連通孔２３から外気を流入することができ、吸込具本体１０の外形形状を損なうことなく、吸込具本体１０の被掃除面への吸着を低減させ、操作性の向上が図れるものである。
【００３４】
また、吸込口１３後方に下方に突出した中央塵埃掻き上げ部２８を端塵埃掻き上げ部２９よりも後方に配設し、かつ、各塵埃掻き上げ部の近傍まで吸込口１３を広げるとともに前記中央塵埃掻き上げ部２８の一部と端塵埃掻き上げ部２９の一部とを吸込具本体１０の進行方向に対して交差するように配設したことにより、回転ブラシ１５によって掻き上げられた塵埃が吸込具９後方に掃き飛ばされるのを防止して、集塵性能の向上が図れるものである。この中央塵埃掻き上げ部２８、端塵埃掻き上げ部２９をブラシ体で形成し、２列以上を配設することにより、さらに確実に回転ブラシ１５によって掻き上げられた塵埃が吸込具９後方に掃き飛ばされるのを防止して、集塵性能の向上が図れる。なお、本実施例においては、いわゆる、回転ブラシ１５が、吸込具９に設けられ吸込具９自体を駆動させる駆動部の役割をなしている場合について述べたが、回転ブラシ１５が、吸込具９に設けられ吸込具９自体を駆動させる駆動部の役割をなしていなくても、図７のように、起毛布を巻いた後部ローラー２１を電動機１６と連動させ、前記後部ローラー２１を吸込具９に設けられ吸込具９自体を駆動させる駆動部とさせても上述した内容と同様の効果は得られる。また、前記後部ローラー２１の駆動力が、電動送風機３からの吸引力により前記吸込具９と被掃除面とに発生する吸着力より大きい場合において、前記吸込具９自体は駆動することとなる。さらに、吸込具９自体の前進または後進の駆動方向は、電動機１６の回転方向を変えることで、変更できる。
【００３５】
（実施例２）
次に第２の実施例を図８において説明する。なお上記第１の実施例と同一構成部品については同一符号を付して、その説明を省略する。
【００３６】
下方に吸込口１３を開口させた吸込具本体１０の前面に吸込具本体１０前面から底面にかけて屈曲させて配設した起毛布２０の底面の吸込口１３側が上方に傾斜して構成しており、起毛布２０は起毛布ホルダ−５５に取付けられ、吸込具本体１０の起毛布取付座２２に配置されている。起毛布２０底面の上方傾斜部５６と被掃除面との間で形成される空間Ｂ５７が塵埃の浮遊空間となるため、塵埃を吸込み易くなり集塵性能の向上が図れるものである。
【００３７】
（実施例３）
次に本発明の第３の実施例を図９において説明する。なお上記第１、第２の実施例と同一構成部品については同一符号を付して、その説明を省略する。
【００３８】
下方に吸込口１３を開口させた吸込具本体１０の前面に吸込具本体１０前面から底面にかけて屈曲させて配設した起毛布２０の前面から底面への変化ポイントの出代（Ｌ４）を前面、底面の出代（Ｌ５、Ｌ６）よりも大きくして構成している。これにより、起毛布２０の前面から底面への変化ポイントでの起毛布２０のない空間が減ることにより、壁際などの隅部へ起毛布２０がしっかり届き、隅部の集塵性能の向上が図れるものである。また、図９に示すように起毛布２０の前面から底面への変化ポイントの出代（Ｌ４）をより長くすることにより、壁際などの隅部の集塵性をさらに向上させることは言うまでもない。
【００３９】
（実施例４）
次に本発明の第４の実施例を図１１により説明する。なお上記第１〜第３の実施例と同一構成部品については同一符号を付して、その説明を省略する。
【００４０】
起毛布２０は起毛布ホルダー５５に取り付けられて吸込具本体１０に配設された起毛布取付座２２に吸込口１３と連通する連通孔２３を有しており、起毛布ホルダー５５には連通孔２３の相対位置に吸気口５８を構成しており、起毛布ホルダー５５の吸気口５８から確実に外気が流入するため、吸込具本体１０の外形形状を損なうことなく吸込具本体１０の被掃除面への吸着を低減させ、操作性のさらなる向上が図れるものである。
【００４１】
（実施例５）
次に本発明の第５の実施例を図１２、図１３により説明する。なお上記第１〜第４の実施例と同一構成部品については同一符号を付して、その説明を省略する。
【００４２】
吸込口１３後部に、底面から側面にかけて屈曲させた起毛布体５９を配設したもので、この起毛布体５９により、被掃除面への接触抵抗を低減し、操作性の向上を図るとともに、吸込具本体１０を被掃除面に置く時や掃除の際に吸込具本体１０を傾けた時に吸込口１３の後部に配設した底面から側面にかけて屈曲させた起毛布体５９が被掃除面にまず当接することとなるため、被掃除面への傷付防止が図れるものである。
【００４３】
（実施例６）
次に本発明の第６の実施例を図１４により説明する。なお上記第１〜第５の実施例と同一構成部品については同一符号を付して、その説明を省略する。
【００４４】
吸込具本体１０の吸込口１３後方に、吸込口１３より下方に突出した中央塵埃掻き上げ部２８を下部枠体２５と一体で形成したリブで構成しており、硬質の床面からの距離を下部枠体２５底面は２ｍｍ以上（Ｌ７）とするとともに中央塵埃掻き上げ部２８は略１．５ｍｍ（Ｌ８）としたもので、中央塵埃掻き上げ部２８を下部枠体２５と一体で形成することにより、安価で、かつ、容易に構成することができる。また、前記各距離により、下部枠体２５底面も中央塵埃掻き上げ部２８も被掃除面へは当ることなく、被掃除面への傷付防止を図りながらコイン（厚さ１．５ｍｍ以上）なども被掃除面から略１．５ｍｍとした中央塵埃掻き上げ部２８により確実に捕捉することができるものである。
【００４５】
（実施例７）
次に本発明の第７の実施例を図１５、図１６により説明する。なお上記第１〜第６の実施例と同一構成部品については同一符号を付して、その説明を省略する。下方に吸込口１３を開口させた吸込具本体１０と吸込口１３に臨むように吸込具本体１０に回転自在に設けた塵埃を掻き上げるための回転ブラシ１５とを備え、回転ブラシ１５は外周面には吸込口１３より突出して被掃除面に当接して吸込具本体１０を移動させる力を発生させるとともに塵埃を掻き上げるためのブラシ体１４を配設した略円筒状のブラシホルダー６０を有している。このブラシホルダー６０の内部に図１５に示すように回転ブラシ１５を回転駆動させるための電動機１６、電動機１６の回転数を減速する減速装置６１、減速装置６１の出力をブラシホルダー６０に伝達するギア（動力伝達装置）６２などを内蔵している。電動機１６は整流子電動機で構成し、商用電源電圧を整流器、雑音防止器などを実装した電動機用基板６３を設け、この電動機用基板６３接続部１１を通して掃除機本体１に接続したリード線６４を接続し、商用電源電圧を整流した電圧により駆動するように構成している。また、電動機１６を冷却する冷却風を取り入れる開口部Ａ６５、Ｂ６６、Ｃ６７とを設けている。
【００４６】
減速装置６１は電動機１６の出力軸６８を連結し、電動機１６の回転数を減速する。電動機１６に減速装置６１とを一体に構成し、出力軸６８にギア６２を嵌合している。軸受部６９は電動機１６と一体に構成した減速装置６１をブラシホルダー６０に支持するもので、内輪を減速装置６１の径小部７０に固定し、外輪をブラシホルダー６０の内面部に突出して形成した軸受支持部７１により支持している。
【００４７】
電動機１６は内径を中空とし減速装置６１と一体に構成した電動機１６を軸支する中空軸７２を固定している。７３は電動機１６を冷却するための冷却穴であり、中空軸７２を通り電動機１６に外気を流して冷却する。
【００４８】
吸込具本体１０の両側端の内側には、回転ブラシ１５を保持する保持部７４を形成し、この保持部７４に緩衝部材７５を介在させて回転ブラシ１５の端部を保持している。この緩衝部材７５は、ゴム、エラストマーなどの弾力性が優れた材料で形成し、回転ブラシ１５による振動、ビビリを吸収し、吸込具本体１０へ伝えにくくしている。
【００４９】
上記した構成により、電動機１６および減速装置６１、ギア６２などの動力伝達装置をブラシホルダー６０の内部に設けた構成で、吸込具９を小型化するとともに電動機１６の回転ブラシ１５への回転力を有効に伝達し、吸込具９自体を移動させるための駆動させる力をより大きく得ることができ、吸込具９を被掃除面に置いた状態で、回転ブラシ１６の回転によって吸込具９自体を前進または後進方向に駆動させ易くなるとともに手元ハンドル６の動作により、吸込具９自体の方向を容易にコントロールできるとともに吸込具９本体を被掃除面に対して広範囲に回動できるようにし、使い勝手を向上させるものである。
【００５０】
また、その他の構成は実施例１〜実施例６と同様に構成され、同様の効果を得ることができる。
【００５１】
【発明の効果】
本発明によれば、吸込具の集塵性能を低下させることなく、上記構成により、回転ブラシの回転によって吸込具自体を前進または後進方向に駆動する吸込具を被掃除面に置いた状態で手元ハンドルを操作することにより、吸込具の進行方向を容易にコントロールできるとともに延長管を被掃除面に平行に、かつ、吸込具本体の長辺方向と延長管とを平行にすることができ、机やベッドなどの障害物の下などでの高さの低い所、幅の狭い空間、そして壁際などでの吸込具本体の長辺方向への掃除を容易に行なえるようにして使い勝手の向上が図れるものである。
【図面の簡単な説明】
【図１】
本発明の第１の実施例を示す電気掃除機の斜視図
【図２】
同電気掃除機用吸込具の下面図
【図３】
図２のＡ−Ａ断面図
【図４】
図２のＢ−Ｂ断面図
【図５】
同電気掃除機用吸込具の上部枠体を外した上面図
【図６】
同電気掃除機用吸込具の第１の連結体と第２の連結体の展開図
【図７】
同他の電気掃除機用吸込具の下面図
【図８】
本発明の第２の実施例を示す電気掃除機用吸込具の要部断面図
【図９】
本発明の第３の実施例を示す電気掃除機用吸込具の要部断面図
【図１０】
同他の電気掃除機用吸込具の要部断面図
【図１１】
本発明の第４の実施例を示す電気掃除機用吸込具の要部断面図
【図１２】
本発明の第５の実施例を示す電気掃除機用吸込具の下面図
【図１３】
図１２のＣ−Ｃ断面図
【図１４】
本発明の第６の実施例を示す電気掃除機用吸込具の側断面図
【図１５】
本発明の第７の実施例を示す電気掃除機用吸込具の下面図
【図１６】
同電気掃除機用吸込具の上部枠体を外した上面図
【図１７】
従来の電気掃除機用吸込具の斜視図
【図１８】
同電気掃除機用吸込具の下面図
【図１９】
同電気掃除機用の斜視図
【図２０】
同電気掃除機用吸込具における接続部の側面図
【図２１】
同電気掃除機用吸込具における障害物の下での掃除状態図
【図２２】
同電気掃除機用吸込具における壁際での掃除状態図
【符号の説明】
９    吸込具
１０  吸込具本体
１１  接続部
１４  ブラシ体
１５  回転ブラシ
１９  バンパー
２０  起毛布
２２  起毛布取付座
２３  連通孔
２４  上部枠体
２５  下部枠体
２８  中央塵埃掻き上げ部
２９  端塵埃掻き上げ部
３０  吸込通路
３１  中間部材
３２  ドーム部分
３３  ブリッジ部分
３４  処理通路
３５  空間Ａ
３６  回動受け部
３７  第１の連結体
３８  第２の連結体
４０  環状溝
４１  回動部材
４３  連結部
４４  腕部
４５  回動軸部
４８  回動軸受け部
５１  従回動部
５２  主回動部
５４  隙間
５５  起毛布ホルダー
５６  上部傾斜部
５７  空間Ｂ
５８  吸気口
５９  起毛布体
６０  ブラシホルダー
６１  減速装置
６２  ギア